(57)【要約】【課題】使用者が煩わしさを覚えることなく、傾きのない画像の取得を容易なものとすることができる撮像装置を提供する。【解決手段】撮像装置本体１１と撮像手段と画像表示画面１７ａと傾斜検知手段２５とを備え、傾斜報知表示Ｉを画像表示画面１７ａに表示する撮像装置１０である。傾斜報知表示Ｉは、等間隔に並列された複数の傾斜表示片部３０と、その一つを強調する指標表示部３４とを有する。傾斜報知表示Ｉでは、水平擬制状態のときに指標表示部３４が中央の一つの傾斜表示片部３０を強調しかつ各傾斜表示片部３０の上縁部を架け渡す上縁線と下縁部を架け渡す下縁線とを強調した傾斜表示片部に連続させて一体的に強調して水平状態報知を行い、かつ撮像装置本体が水平擬制状態よりも大きく傾斜する傾斜状態のときに指標表示部３４が上方へと変位された側の各傾斜表示片部３０のうち傾斜度合いに応じたいずれか一つを強調して傾斜状態報知を行う。【選択図】図１８
2010114941.tif 000002
【特許請求の範囲】
【請求項１】
水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段とを備え、前記撮像装置本体の前記水平基準の水平方向に対する傾斜度合いを示す傾斜報知表示を前記取得画像に重ねて前記画像表示画面に表示する撮像装置であって、
前記傾斜報知表示は、前記水平基準方向に沿って等間隔に並列された複数の傾斜表示片部と、該各傾斜表示片部のうちいずれか一つの該傾斜表示片部を強調して表示する指標表示部とを有し、
前記傾斜報知表示では、前記撮像装置本体が前記水平基準が水平方向と一致する状態から左右両回りに等しい所定角度範囲内で傾斜した水平擬制状態のときに前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行い、かつ前記撮像装置本体が前記水平擬制状態よりも大きく傾斜する傾斜状態のときに前記指標表示部が上方へと変位された側の前記各傾斜表示片部のうち傾斜度合いに応じたいずれか一つを強調して傾斜状態報知を行うことを特徴とする撮像装置。
【請求項２】
前記傾斜報知表示は、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行い、前記撮像装置本体が前記各傾斜表示片部における最外側に相当する傾斜度合い以下の傾斜となると再び前記傾斜状態報知を行うことを特徴とする請求項１に記載の撮像装置。
【請求項３】
前記傾斜報知表示は、前記各傾斜表示片部のうち中央に位置する一つであることを指し示す照準指示部を有することを特徴とする請求項１または請求項２に記載の撮像装置。
【請求項４】
前記指標表示部は、前記水平状態報知を行うときと前記傾斜状態報知を行うときとで、互いに異なる色彩とされていることを特徴とする請求項１ないし請求項３のいずれか１項に記載の撮像装置。
【請求項５】
前記指標表示部は、前記水平状態報知を行うときと前記傾斜過度報知を行うときと前記傾斜状態報知を行うときとで、互いに異なる彩色とされていることを特徴とする請求項２または請求項３に記載の撮像装置。
【請求項６】
前記取得画像は、長方形状を呈し、
前記水平基準は、前記取得画像が横位置の場合と縦位置の場合とで個別に設定されていることを特徴とする請求項１ないし請求項５のいずれか１項に記載の撮像装置。
【請求項７】
前記画像表示画面では、重力方向の下側に位置する辺部の近傍に前記傾斜報知表示が表示されることを特徴とする請求項６に記載の撮像装置。
【請求項８】
前記傾斜報知表示は、少なくとも一部が透かし表示とされていることを特徴とする請求項１ないし請求項７のいずれか１項に記載の撮像装置。
【請求項９】
請求項１ないし請求項８のいずれか１項に記載の撮像装置であって、
さらに、撮影指示のための操作部を備え、該操作部への撮影指示に応じて撮影を行うことを特徴とする撮像装置。
【請求項１０】
水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段とを備える撮像装置の制御部に、前記撮像装置本体の前記水平基準の水平方向に対する傾斜度合いを示す傾斜報知表示を前記取得画像に重ねて前記画像表示画面に表示する機能を実現させるためのプログラムであって、
前記傾斜検知手段からの出力信号に基づいて、前記撮像装置本体の水平方向に対する傾斜を判断する機能と、
前記水平基準方向に沿って等間隔に並列された複数の傾斜表示片部と、該各傾斜表示片部のうちいずれか一つの該傾斜表示片部を強調して表示する指標表示部とを、前記傾斜報知表示として前記画像表示画面に表示する機能と、
前記傾斜報知表示において、前記撮像装置本体が前記水平基準が水平方向と一致する状態から左右両回りに等しい所定角度範囲内で傾斜した水平擬制状態のときに前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行う機能と、
前記傾斜報知表示において、前記撮像装置本体が前記水平擬制状態よりも大きく傾斜する傾斜状態のときに前記指標表示部が上方へと変位された側の前記各傾斜表示片部のうち傾斜度合いに応じたいずれか一つを強調して傾斜状態報知を行う機能と、
を実現させることを特徴とするプログラム。
【請求項１１】
前記傾斜報知表示において、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行う機能と、
前記傾斜報知表示において、前記撮像装置本体が前記各傾斜表示片部における最外側に相当する傾斜度合い以下の傾斜となると再び前記傾斜状態報知を行う機能と、
を実現させることを特徴とする請求項１０に記載のプログラム。
【請求項１２】
前記傾斜報知表示を前記画像表示画面に表示させつつ、前記撮像装置が備える操作部への撮影指示に応じて前記撮像手段による撮影を行わせる機能を実現させることを特徴とする請求項１０または請求項１１に記載のプログラム。
【請求項１３】
水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段と、前記撮像装置本体の前記水平基準の水平方向に対する傾斜度合いを示す傾斜報知表示を前記取得画像に重ねて前記画像表示画面に表示する表示制御手段と、を備える撮像装置の角度表示方法であって、
前記表示制御手段は、前記傾斜報知表示として、前記水平基準方向に沿って等間隔に並列された複数の傾斜表示片部と、該各傾斜表示片部のうちいずれか一つの該傾斜表示片部を強調して表示する指標表示部とを、前記傾斜報知表示として前記画像表示画面に表示し、
前記傾斜検知手段からの出力信号に基づいて、前記撮像装置本体の水平方向に対する傾斜を判断する工程と、
前記撮像装置本体が前記水平基準が水平方向と一致する状態から左右両回りに等しい所定角度範囲内で傾斜した水平擬制状態である場合、前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行う工程と、
前記撮像装置本体が前記水平擬制状態よりも大きく傾斜する傾斜状態の場合、前記指標表示部が上方へと変位された側の前記各傾斜表示片部のうち傾斜度合いに応じたいずれか一つを強調して傾斜状態報知を行う工程と、
を含むことを特徴とする角度表示方法。
【請求項１４】
前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行う工程と、
前記撮像装置本体が前記各傾斜表示片部における最外側に相当する傾斜度合い以下の傾斜となると再び前記傾斜状態報知を行う工程と、
を含むことを特徴とする請求項１３に記載の角度表示方法。
【請求項１５】
前記撮像装置が備える操作部への撮影指示に応じて撮影を行う際にも、前記傾斜報知表示の前記画像表示画面への表示を行うことを特徴とする請求項１３または請求項１４に記載の角度表示方法。
【発明の詳細な説明】
【技術分野】
【０００１】
本発明は、撮像手段からの取得画像を表示する画像表示画面が設けられた撮像装置であって、特に、撮像装置の傾きを示す傾き表示を画像表示画面に表示可能な撮像装置に関する。
【背景技術】
【０００２】
従来、撮像装置では、水平面に対して傾きのない画像を取得したいという要望があることから、傾きのない画像を取得することを支援するための様々な機能を備えたものが考えられている。
【０００３】
その一例として、撮影の際に画像表示画面に表示される取得画像の一部に棒状の図柄を表示するとともに、その棒状の図柄上を水準器のように動くマーカーを表示することで、使用者が撮像装置の姿勢すなわち取得画像の傾斜状態を認識することを支援する撮像装置がある（例えば、特許文献１参照）。
【０００４】
また、画像表示画面に水平状態を示すべく画像表示画面を横切る基準線と、現在の撮像装置の姿勢を示すべく画像表示画面を横切る撮影補助線とを表示することで、使用者が撮像装置の姿勢すなわち取得画像の傾斜状態を認識することを支援する撮像装置がある（例えば、特許文献２参照）。
【０００５】
さらに、画像表示画面に基準としての水平状態を示す格子状のグリッド表示線と、現在の撮像装置における水平方向を示すべく画像表示画面を横切る水平表示線とを互いに異なる色で表示するとともに、グリッド表示線に水平表示線が一致された際には、そのグリッド表示線を双方の設定色とは異なる色で表示することで、使用者が撮像装置の姿勢すなわち取得画像の傾斜状態を認識することを支援する撮像装置がある（例えば、特許文献３参照）。
【発明の概要】
【発明が解決しようとする課題】
【０００６】
ところが、特許文献１の撮像装置では、棒状の図柄上をマーカーが水準器のように動くものであることから、傾斜に応じてマーカーが連続的に移動することとなるので、撮像装置を完全に固定しない限り棒状の図柄上をマーカーが常に移動し続けてしまい、使用者が水平状態を把握することが困難であるとともに、使用者が煩わしさを覚えてしまう。
【０００７】
また、特許文献２または特許文献３の撮像装置では、撮像装置の傾きに応じて撮影補助線（水平表示線）が動くものであることから、撮像装置を完全に固定しない限り撮影補助線（水平表示線）が常に回動し続けてしまい、使用者が水平状態を把握することが困難であるとともに、使用者が煩わしさを覚えてしまう。加えて、撮影補助線（水平表示線）が、撮像装置の傾きに応じて傾斜して画像表示画面を横切るものであることから、傾斜している状態において滑らかな直線ではなく不均一な階段状となってしまい、見栄えが悪く、使用者が違和感を覚えてしまう。
【０００８】
これらのことから、上記した特許文献１〜３では、いずれも傾きのない画像を取得することを支援しているものの、傾きのない画像の取得が容易であるとは言えず、更なる改良が為されることが望ましい。
【０００９】
本発明は、上記の問題に鑑みて為されたもので、使用者が煩わしさを覚えることなく、傾きのない画像の取得を容易なものとすることができる撮像装置を提供することを目的としている。
【課題を解決するための手段】
【００１０】
上記課題を解決するため、請求項１に係る発明は、水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段とを備え、前記撮像装置本体の前記水平基準の水平方向に対する傾斜度合いを示す傾斜報知表示を前記取得画像に重ねて前記画像表示画面に表示する撮像装置であって、前記傾斜報知表示は、前記水平基準方向に沿って等間隔に並列された複数の傾斜表示片部と、該各傾斜表示片部のうちいずれか一つの該傾斜表示片部を強調して表示する指標表示部とを有し、前記傾斜報知表示では、前記撮像装置本体が前記水平基準が水平方向と一致する状態から左右両回りに等しい所定角度範囲内で傾斜した水平擬制状態のときに前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行い、かつ前記撮像装置本体が前記水平擬制状態よりも大きく傾斜する傾斜状態のときに前記指標表示部が上方へと変位された側の前記各傾斜表示片部のうち傾斜度合いに応じたいずれか一つを強調して傾斜状態報知を行うことを特徴とする。
【００１１】
請求項２に係る発明は、請求項１に記載の撮像装置であって、前記傾斜報知表示は、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行い、前記撮像装置本体が前記各傾斜表示片部における最外側に相当する傾斜度合い以下の傾斜となると再び前記傾斜状態報知を行うことを特徴とする。
【００１２】
請求項３に係る発明は、請求項１または請求項２に記載の撮像装置であって、前記傾斜報知表示は、前記各傾斜表示片部のうち中央に位置する一つであることを指し示す照準指示部を有することを特徴とする。
【００１３】
請求項４に係る発明は、請求項１ないし請求項３のいずれか１項に記載の撮像装置であって、前記指標表示部は、前記水平状態報知を行うときと前記傾斜状態報知を行うときとで、互いに異なる色彩とされていることを特徴とする。
【００１４】
請求項５に係る発明は、請求項２または請求項３に記載の撮像装置であって、前記指標表示部は、前記水平状態報知を行うときと前記傾斜過度報知を行うときと前記傾斜状態報知を行うときとで、互いに異なる彩色とされていることを特徴とする。
【００１５】
請求項６に係る発明は、請求項１ないし請求項５のいずれか１項に記載の撮像装置であって、前記取得画像は、長方形状を呈し、前記水平基準は、前記取得画像が横位置の場合と縦位置の場合とで個別に設定されていることを特徴とする。
【００１６】
請求項７に係る発明は、請求項６に記載の撮像装置であって、前記画像表示画面では、重力方向の下側に位置する辺部の近傍に前記傾斜報知表示が表示されることを特徴とする。
【００１７】
請求項８に係る発明は、請求項１ないし請求項７のいずれか１項に記載の撮像装置であって、前記傾斜報知表示は、少なくとも一部が透かし表示とされていることを特徴とする。
【００１８】
請求項９に係る発明は、請求項１ないし請求項８のいずれか１項に記載の撮像装置であって、さらに、撮影指示のための操作部を備え、該操作部への撮影指示に応じて撮影を行うことを特徴とする。
【００１９】
請求項１０に係る発明は、水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段とを備える撮像装置の制御部に、前記撮像装置本体の前記水平基準の水平方向に対する傾斜度合いを示す傾斜報知表示を前記取得画像に重ねて前記画像表示画面に表示する機能を実現させるためのプログラムであって、前記傾斜検知手段からの出力信号に基づいて、前記撮像装置本体の水平方向に対する傾斜を判断する機能と、前記水平基準方向に沿って等間隔に並列された複数の傾斜表示片部と、該各傾斜表示片部のうちいずれか一つの該傾斜表示片部を強調して表示する指標表示部とを、前記傾斜報知表示として前記画像表示画面に表示する機能と、前記傾斜報知表示において、前記撮像装置本体が前記水平基準が水平方向と一致する状態から左右両回りに等しい所定角度範囲内で傾斜した水平擬制状態のときに前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行う機能と、前記傾斜報知表示において、前記撮像装置本体が前記水平擬制状態よりも大きく傾斜する傾斜状態のときに前記指標表示部が上方へと変位された側の前記各傾斜表示片部のうち傾斜度合いに応じたいずれか一つを強調して傾斜状態報知を行う機能と、を実現させることを特徴とする。
【００２０】
請求項１１に係る発明は、請求項１０に記載のプログラムであって、前記傾斜報知表示において、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行う機能と、前記傾斜報知表示において、前記撮像装置本体が前記各傾斜表示片部における最外側に相当する傾斜度合い以下の傾斜となると再び前記傾斜状態報知を行う機能と、を実現させることを特徴とする。
【００２１】
請求項１２に係る発明は、請求項１０または請求項１１に記載のプログラムであって、前記傾斜報知表示を前記画像表示画面に表示させつつ、前記撮像装置が備える操作部への撮影指示に応じて前記撮像手段による撮影を行わせる機能を実現させることを特徴とする。
【００２２】
請求項１３に係る発明は、水平基準が設定された撮像装置本体と、該撮像装置本体に設けられた撮像手段と、前記撮像装置本体に設けられ前記撮像手段が取得した画像が表示される画像表示画面と、前記撮像装置本体に設けられ前記撮像装置本体の光軸回りの水平方向に対する傾斜を検知する傾斜検知手段と、前記撮像装置本体の前記水平基準の水平方向に対する傾斜度合いを示す傾斜報知表示を前記取得画像に重ねて前記画像表示画面に表示する表示制御手段と、を備える撮像装置の角度表示方法であって、前記表示制御手段は、前記傾斜報知表示として、前記水平基準方向に沿って等間隔に並列された複数の傾斜表示片部と、該各傾斜表示片部のうちいずれか一つの該傾斜表示片部を強調して表示する指標表示部とを、前記傾斜報知表示として前記画像表示画面に表示し、前記傾斜検知手段からの出力信号に基づいて、前記撮像装置本体の水平方向に対する傾斜を判断する工程と、前記撮像装置本体が前記水平基準が水平方向と一致する状態から左右両回りに等しい所定角度範囲内で傾斜した水平擬制状態である場合、前記指標表示部が前記各傾斜表示片部のうち中央に位置する一つを強調するとともに前記各傾斜表示片部の上縁部を架け渡す上縁線と前記各傾斜表示片部の下縁部を架け渡す下縁線とを前記各傾斜表示片部のうち中央に位置する一つに連続させて一体的に強調して水平状態報知を行う工程と、前記撮像装置本体が前記水平擬制状態よりも大きく傾斜する傾斜状態の場合、前記指標表示部が上方へと変位された側の前記各傾斜表示片部のうち傾斜度合いに応じたいずれか一つを強調して傾斜状態報知を行う工程と、を含むことを特徴とする。
【００２３】
請求項１４に係る発明は、請求項１３に記載の角度表示方法であって、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行う工程と、前記撮像装置本体が前記各傾斜表示片部における最外側に相当する傾斜度合い以下の傾斜となると再び前記傾斜状態報知を行う工程と、を含むことを特徴とする。
【００２４】
請求項１５に係る発明は、請求項１３または請求項１４に記載の角度表示方法であって、前記撮像装置が備える操作部への撮影指示に応じて撮影を行う際にも、前記傾斜報知表示の前記画像表示画面への表示を行うことを特徴とする。
【発明の効果】
【００２５】
本発明に係る撮像装置では、傾斜報知表示において、水平基準が水平方向と一致する状態から撮像装置本体が左右両回りに等しい所定角度範囲内で傾斜した水平擬制状態のときに指標表示部が各傾斜表示片部のうち中央に位置する一つを強調することで水平状態報知が為されるものであることから、撮像装置本体を完全に固定しなくても指標表示部により強調される個所が変化することを防止できるので、使用者が煩わしさを覚えることなく、水平状態を容易に把握することができる。
【００２６】
また、この撮像装置では、傾斜度合いを示す傾斜報知表示が、撮像装置本体に設定された水平基準に沿って並列された複数の傾斜表示片のうち、傾斜度合いに応じたいずれか一つの傾斜表示片を指標表示部で強調するものであることから、この指標表示部が液体中の気泡により傾きを検知する水準器の気泡の動きと似通うこととなるので、使用者にとって馴染みのあるものとなり、傾斜度合いの認識をより容易なものとすることができる。
【００２７】
上記した構成に加えて、前記傾斜報知表示は、前記傾斜報知表示は、前記各傾斜表示片部のうち中央に位置する一つであることを指し示す照準指示部を有することとすると、指標表示部で強調される個所を照準指示部で示された位置へと導くように撮像装置本体を回動させる、すなわち撮像装置本体を水平状態とすることをより容易なものとすることができる。
【００２８】
上記した構成に加えて、前記指標表示部は、前記水平状態報知を行うときと前記傾斜状態報知を行うときとで、互いに異なる色彩とされていることとすると、水平状態であることと傾斜状態であることとを容易に区別することができるので、水平状態をより容易に把握することができる。
【００２９】
上記した構成に加えて、前記傾斜報知表示は、前記水平擬制状態のとき、前記指標表示部が前記各傾斜表示片部のうち中央に位置する一つを強調することに伴って、前記各傾斜表示片部の上縁部を架け渡す上縁線と前記各傾斜表示片部の下縁部を架け渡す下縁線とを前記各傾斜表示片部のうち中央に位置する一つに連続させて一体的に強調して前記水平状態報知を行うこととすると、水平状態をより容易に把握することができる。
【００３０】
上記した構成に加えて、前記傾斜報知表示は、前記撮像装置本体が前記各傾斜表示片部における最外側に相当する傾斜度合いよりも大きく傾斜している場合、最外側の前記各傾斜表示片部の一つを前記指標表示部で強調するとともに上方へと変位された側の前記各傾斜表示片部の上縁部および前記各傾斜表示片部の下縁部を一斉に強調して傾斜過度報知を行い、前記撮像装置本体が前記各傾斜表示片部における最外側に相当する傾斜度合い以下の傾斜となると再び前記傾斜状態報知を行うこととすると、水平状態とは遠いことを容易に把握することができる。
【００３１】
上記した構成に加えて、前記指標表示部は、前記水平状態報知を行うときと前記傾斜過度報知を行うときと前記傾斜状態報知を行うときとで、互いに異なる彩色とされていることとすると、水平状態であることと傾斜状態であることと傾斜過度報知状態であることとを容易に区別することができるので、水平状態をより容易に把握することができる。
【００３２】
上記した構成に加えて、前記取得画像は、長方形状を呈し、前記水平基準は、前記取得画像が横位置の場合と縦位置の場合とで個別に設定されていることとすると、横位置での取得画像と、縦位置での取得画像とのそれぞれで、水平状態を容易に把握することができる。
【００３３】
上記した構成に加えて、前記画像表示画面では、重力方向の下側に位置する辺部の近傍に前記傾斜報知表示が表示されることとすると、傾斜報知表示が画像表示画面において常に下側に位置されることとなるので、より容易に水平状態を把握することができる。
【００３４】
上記した構成に加えて、前記傾斜報知表示は、少なくとも一部が透かし表示とされていることとすると、取得画像の認識が傾斜報知表示により阻害されることを防止することができる。
【図面の簡単な説明】
【００３５】
【図１】本発明の撮像装置の一実施形態を模式的に示す正面図である。
【図２】本発明の撮像装置の一実施形態を模式的に示す背面図である。
【図３】本発明の撮像装置の一実施形態を模式的に示す上面図である。
【図４】本発明の撮像装置を表示部が設けられた背面側からみた正面図であり、表示部およびそこに表示された画面を実線で示すとともにそれ以外を破線で示している。
【図５】図４を基準とする背面図である。
【図６】図４を基準とする平面図である。
【図７】図４を基準とする右側面図である。
【図８】図４を基準とする左側面図である。
【図９】図４を基準とする底面図である。
【図１０】本発明の撮像装置のシステム構成を示す全体構成図である。
【図１１】撮像装置の傾きを説明する図である。
【図１２】撮像装置が本体ケースの底面を下方にして水平面に載置された状態を示す背面図である。
【図１３】撮像装置が本体ケースの左側面を下方にして水平面に載置された状態を示す背面図である。
【図１４】傾斜報知表示の構成を説明するための説明図である。
【図１５】撮像装置が傾斜された状態における傾斜報知表示を説明するための説明図である。
【図１６】撮像装置が過度に傾斜された状態における傾斜報知表示を説明するための説明図である。
【図１７】撮像装置が過度にあおられた状態における傾斜報知表示を説明するための説明図である。
【図１８】傾斜報知表示による報知の態様の推移を本体ケースのロール方向への回転姿勢とともに説明する説明図である。
【図１９】横置き画像（横位置）における水平状態であることの報知を行っている様子を示す背面側から見た正面図である。
【図２０】横置き画像（横位置）における傾斜度合いの報知を行っている様子を示す背面側から見た正面図である。
【図２１】横置き画像（横位置）における傾斜過度状態であることの報知を行っている様子を示す背面側から見た正面図である。
【図２２】横置き画像（横位置）におけるあおり過度状態であることの報知を行っている様子を示す背面側から見た正面図である。
【図２３】縦置き画像（縦位置）における水平状態であることの報知を行っている様子を示す背面側から見た正面図である。
【図２４】縦置き画像（縦位置）における傾斜度合いの報知を行っている様子を示す背面側から見た正面図である。
【図２５】縦置き画像Ｐｖ（縦位置）における傾斜過度状態であることの報知を行っている様子を示す背面側から見た正面図である。
【図２６】縦置き画像Ｐｖ（縦位置）におけるあおり過度状態であることの報知を行っている様子を示す背面側から見た正面図である。
【図２７】変形例１の傾斜報知表示を示す背面側から見た正面図であって、水平状態であることの報知を行っている様子を示している。
【図２８】変形例１の傾斜報知表示を示す背面側から見た正面図であって、傾斜度合いの報知を行っている様子を示している。
【図２９】変形例２の傾斜報知表示を示す背面側から見た正面図であって、水平状態であることの報知を行っている様子を示している。
【図３０】変形例２の傾斜報知表示を示す背面側から見た正面図であって、傾斜度合いの報知を行っている様子を示している。
【図３１】変形例３の傾斜報知表示を示す背面側から見た正面図であって、水平状態であることの報知を行っている様子を示している。
【図３２】変形例３の傾斜報知表示を示す背面側から見た正面図であって、傾斜度合いの報知を行っている様子を示している。
【図３３】変形例４の傾斜報知表示を示す背面側から見た正面図であって、水平状態であることの報知を行っている様子を示している。
【図３４】変形例４の傾斜報知表示を示す背面側から見た正面図であって、傾斜度合いの報知を行っている様子を示している。
【図３５】変形例５の傾斜報知表示を示す背面側から見た正面図であって、水平状態であることの報知を行っている様子を示している。
【図３６】変形例５の傾斜報知表示を示す背面側から見た正面図であって、傾斜度合いの報知を行っている様子を示している。
【図３７】変形例６の傾斜報知表示を示す背面側から見た正面図であって、水平状態であることの報知を行っている様子を示している。
【図３８】変形例６の傾斜報知表示を示す背面側から見た正面図であって、傾斜度合いの報知を行っている様子を示している。
【図３９】変形例７の傾斜報知表示を示す背面側から見た正面図であって、水平状態であることの報知を行っている様子を示している。
【図４０】変形例７の傾斜報知表示を示す背面側から見た正面図であって、傾斜度合いの報知を行っている様子を示している。
【図４１】変形例７の傾斜報知表示を示す背面側から見た正面図であって、過度傾斜状態であることの報知を行っている様子を示している。
【発明を実施するための形態】
【００３６】
以下に、本発明に係る撮像装置の一例の各実施例を図面を参照しつつ説明する。
【実施例】
【００３７】
図１〜図３は、本発明の撮像装置１０の一実施形態を模式的に示す外観図であり、図１は正面図、図２は背面図、図３は上面図である。以下の説明では、撮像装置１０の撮影光軸方向をＺ方向とし、撮像装置１０を正面視（図１参照）した高さ方向をＹ方向とし、Ｙ―Ｚ平面に直交する方向をＸ方向とする。また、図４〜図９は、撮像装置１０を後述する表示部１７およびそこに表示された画面を実線で示すとともにそれ以外を破線で示す６面図であり、図４は、表示部１７が設けられた背面側からみた正面図であり、図５は、図４を基準とする背面図であり、図６は、図４を基準とする平面図であり、図７は、図４を基準とする右側面図（図４を正面視した右側から見た図）であり、図８は、図４を基準とする左側面図（図４を正面視した左側から見た図）であり、図９は、図４を基準とする底面図である。なお、本実施例では、図１に記載された側を正面、図２に記載された側を背面、図３に記載された側を上面、撮像装置１０自体で見て光軸方向右側を右側面、左側を左側面と称する。
【００３８】
撮像装置１０は、図１〜図９に示すように、全体に直方体形状を呈する本体ケース１１により外形が形作られており、その正面１１ａ側にストロボ発光部１２、撮影レンズを含む鏡胴ユニット１４が設けられている。また、本体ケース１１の上面１１ｃには、レリーズスイッチ（シャッタレリーズ釦）１５、モードダイヤルスイッチ１６等が配設されている。
【００３９】
本体ケース１１の背面１１ｂには、表示部１７と、方向指示用スイッチ１８等とが設けられている。この表示部１７は、Ｘ方向およびＹ方向と縦横の方向が一致するように設けられた横長（Ｘ方向に長い。）の矩形状の画像表示画面１７ａを有し、後述するように、取得画像Ｐや操作メニュー等を表示することができる。
【００４０】
このレリーズスイッチ（シャッタレリーズ釦）１５、モードダイヤルスイッチ１６および方向指示用スイッチ１８等は、使用者が操作する操作キーである（以下では、カメラ操作部１９ともいう。）。
【００４１】
撮像装置１０では、方向指示用スイッチ１８を適宜操作することにより、各種機能を選択することができ、レリーズスイッチ１５を押圧操作することにより被写体を撮影することができる。また、撮像装置１０では、表示部１７の画像表示画面１７ａに画像を映し出しつつ被写体を撮影することができる。なお、本発明に係る撮像装置の外観は、必ずしも本実施例に限定されるものではなく、他の外観を備えていてもよい。
【００４２】
撮像装置１０の各部材の機能および作用は、公知であるので、その説明は省略することにし、次に撮像装置内部のシステム構成を図１０に基づいて説明する。図１０は、本発明の撮像装置１０のシステム構成を示す全体構成図である。
【００４３】
鏡胴ユニット１４は、対物レンズ１４１、ズームレンズ１４２、シャッター兼絞り１４３、フォーカスレンズ１４４、ローパスフィルタ（ＬＰＦ）１４５、撮像素子１４６等で構成されている。ズームレンズ１４２は、モータを備えたズーム駆動系１４２ａにより、シャッター兼絞り１４３は、モータを備えたシャッター兼絞り駆動系１４３ａにより、フォーカスレンズ１４４は、モータを備えたフォーカス駆動系１４４ａによってそれぞれ駆動されるようになっており、その制御はシステムコントローラ２０によって行われる。
【００４４】
撮像装置１０では、シャッター兼絞り１４３のシャッター操作により、被写体光が対物レンズ１４１、ズームレンズ１４２、シャッター兼絞り１４３、フォーカスレンズ１４４、ローパスフィルタ（ＬＰＦ）１４５を通して撮像素子１４６に受光されて、アナログ画像信号に変換される。撮像素子１４６には、例えばＣＣＤ（電荷結合素子）が使用され、光電変換が行われる。Ａ／Ｄ変換部２１では、撮像素子１４６から入力されたアナログ画像信号がデジタル画像信号に変換され、その後、画像処理部２２において画像の圧縮が行われ、メモリカード、フラッシュメモリ、ＲＡＭ等から構成されるメモリ群２３に格納される。このため、鏡胴ユニット１４、Ａ／Ｄ変換部２１および画像処理部２２が撮像手段として機能する。
【００４５】
また、撮像装置１０は、ＬＣＤモニタやＬＥＤ等から構成され、撮影した画像や操作メニュー等を表示する表示部１７（画像表示画面１７ａ）、モードボタン等から構成されるカメラ操作部１９、スピーカやブザーから構成されユーザーに警告音を発する発音部２４、ストロボを備えたストロボ発光部１２と、これを制御するストロボ制御部１２ａを備える。そして、以上説明した鏡胴ユニット１４、Ａ／Ｄ変換部２１等は、マイコン等からなるシステムコントローラ２０によってその動作を制御される。
【００４６】
本発明に係る撮像装置１０は、上記した構成に加えて傾斜センサ２５を備える。傾斜センサ２５は、基本的には加速度を計測可能な加速度センサであり、重力方向を検出することすなわち重力方向に対する傾斜度合いを計測することもできる。
【００４７】
撮像装置１０では、撮像素子１４６で取得されて、Ａ／Ｄ変換部２１および画像処理部２２で処理された取得画像Ｐが、システムコントローラ２０の制御下で表示部１７に表示される。このとき、撮像装置１０では、取得画像Ｐが本体ケース１１の傾きに応じて表示部１７の画像表示画面１７ａ内で傾いて表示されることとなるが、システムコントローラ２０は、傾斜センサ２５からの出力信号に基づいて本体ケース１１の傾斜度合いを判断し、表示部１７の画像表示画面１７ａに表示されている取得画像Ｐが底面１１ｄ（上面１１ｃ）側を下方とするような横長の構図（横位置）である（以下、横置き画像Ｐｓともいう）か、左側面１１ｅ（右側面１１ｆ）側を下方とするような縦長の構図（縦位置）である（以下、縦置き画像Ｐｖともいう）かを判断する。この判断は、後述する傾斜報知表示Ｉの表示態様に用いられる。
【００４８】
図１１は、撮像装置１０の傾きを説明する図である。
【００４９】
本発明に係る撮像装置１０では、鏡胴ユニット１４の光軸方向（Ｚ方向）周り（以下、ロール方向ともいう）における重力方向に対する本体ケース１１（撮像装置本体）の傾きを検知するものとされている。具体的には、撮像装置１０は、図１２に示すように、全体に直方体形状を呈する本体ケース１１が底面１１ｄを下方にして水平面上に載置された状態において取得された取得画像Ｐの水平方向を水平基準として、横置き画像Ｐｓにおける本体ケース１１の傾斜度合いを検知する。また、撮像装置１０は、図１３に示すように、本体ケース１１が左側面１１ｅを下方にして水平面上に載置された状態において取得された取得画像Ｐの水平方向を水平基準として、縦置き画像Ｐｖにおける本体ケース１１の傾斜度合いを検知する。このため、撮像装置１０では、横置き画像Ｐｓの水平基準がＸ方向となり、縦置き画像Ｐｖの水平基準がＹ方向となる。本実施例では、上述したように表示部１７の画像表示画面１７ａにおける長方形状の枠部がＸ方向とＹ方向とに沿うものであることから、水平基準が画像表示画面１７ａの枠部に沿っていることとなる。
【００５０】
本発明に係る撮像装置１０では、このようにして検知された傾斜度合いを、表示部１７の画像表示画面１７ａにおいて、取得画像Ｐに重ねて表示する傾斜報知表示Ｉにより報知する（図１２及び図１３参照）。この傾斜報知表示Ｉは、水平面に対して傾きのない画像を取得したいという要望に応えるために、傾きのない画像を取得することを支援するものである。ここで、水平面に対して傾きのない画像を取得したいという要望は、例えば、水平線または地平線が構図に存在する場合、またはテーブル上の料理を撮影する場合等では、傾きが画像の見栄えを大きく左右することがあることによる。
【００５１】
この傾斜報知表示Ｉは、システムコントローラ２０の制御下で水平基準に沿って延在するように、画像表示画面１７ａに表示される。換言すると、傾斜報知表示Ｉは、上述した横置き画像Ｐｓであるか縦置き画像Ｐｖであるかの判断に基づき、横置き画像Ｐｓである場合にはＸ方向に延在するように（図１２参照）、縦置き画像Ｐｖである場合にはＹ方向に延在するように（図１３参照）、画像表示画面１７ａに表示される。傾斜報知表示Ｉは、横置き画像Ｐｓであるか縦置き画像Ｐｖであるかに拘らず同様に動作することから、以下では横置き画像Ｐｓである場合について説明し、縦置き画像Ｐｖである場合は省略する。
【００５２】
ここで、図１４は、傾斜報知表示Ｉの構成を説明するための説明図であり、図１５は、撮像装置１０が傾斜された状態における傾斜報知表示Ｉを説明するための説明図であり、図１６は、撮像装置１０が過度に傾斜された状態における傾斜報知表示Ｉを説明するための説明図であり、図１７は、撮像装置１０が過度にあおられた状態における傾斜報知表示Ｉを説明するための説明図である。なお、図１７では、撮影光軸が上空を指し示すように撮像装置１０が過度にあおられた状態を示しており、画像表示画面１７ａに上空（取得画像Ｐ´）が表示されている。
【００５３】
傾斜報知表示Ｉでは、図１４に示すように、Ｙ方向に沿って延在する複数の傾斜表示片部３０がＸ方向（水平基準方向）に等間隔で並列されている。この傾斜表示片部３０は、互いに等しい大きさ寸法とされており、並列方向（Ｘ方向）で見た中央に位置する中央表示部分３１を中心として、その両側に等しい数量の傾斜度合表示部分３２が並列されている。傾斜報知表示Ｉでは、中央表示部分３１を上下方向から挟むように照準指示部３３が設けられており、中心位置であること（中央表示部分３１であること）が一見して認識可能とされている。
【００５４】
各傾斜表示片部３０は、本体ケース１１の傾斜度合いを示すべく所定の角度範囲に相当するように設定されるものであり、本実施例では、中央表示部分３１を中心として、それぞれが等しい角度範囲に相当するように設定されている。詳細には、中央表示部分３１が、上述した水平基準が水平方向と一致する状態（傾きが０度）を中心として、所定角度｜ａ｜（絶対値）以内の角度範囲に設定されている。また、この中央表示部分３１に隣接する傾斜度合表示部分３２が、角度｜ａ｜よりも大きく角度｜３ａ｜以内の角度範囲に設定され、この外側に隣接する傾斜度合表示部分３２が、角度｜３ａ｜よりも大きく角度｜５ａ｜以内の角度範囲に設定され、そこから外側は同様である。すなわち、中央表示部分３１は、傾きが０度を中心とする角度２ａの範囲に相当し、各傾斜度合表示部分３２は、そこに隣接する傾斜度合表示部分３２または中央表示部分３１と連続する角度２ａの範囲に相当している。この角度ａは、傾きが０度である状態を基準として本体ケース１１が傾いた場合であっても、その状態で取得された取得画像Ｐを人が見た際、当該取得画像Ｐが水平状態であると感じる大きさに設定されるものである。この角度ａは、例えば、人が傾いていることを判別することができる０．５度に設定してもよく、人が傾いていることが気になりだす２度に設定してもよく、撮像装置１０の画素数等を考慮しつつ適宜設定すればよい。このため、撮像装置１０（傾斜報知表示Ｉ）では、中央表示部分３１における角度２ａの範囲を水平状態であるものと擬制していることとなる。この各傾斜表示片部３０は、本実施例では、透かし状態とされた灰色とされており、背後に表示された取得画像Ｐの視認を阻害することが抑制されている。また、照準指示部３３は、本実施例では、白色とされており、中央表示部分３１の認識をより容易なものとしている。さらに、照準指示部３３は、本実施例では、後述する水平状態、傾斜過度状態およびあおり過度状態を報知している場面では、必要がないため表示されないものとされている。
【００５５】
この傾斜報知表示Ｉでは、図１５に示すように、各傾斜表示片部３０のうち、傾斜センサ２５により検出された傾斜角度に相当する傾斜表示片部３０を指標表示部３４で強調することにより、本体ケース１１の傾斜度合いを報知する。ここでいう強調とは、いずれの傾斜表示片部３０が本体ケース（撮像装置本体）の傾斜度合いに相当するものであるか、識別可能とするものである。このとき、指標表示部３４は、本体ケース１１が傾斜されることにより表示部１７の画像表示画面１７ａにおいて上方へと変位された側の各傾斜表示片部３０のうち傾斜角度に相当する傾斜表示片部３０のみを強調する。図１５の例では、右側面１１ｆ側が上方へと変位されていることから、画像表示画面１７ａにおいて右側の各傾斜表示片部３０の一つが指標表示部３４により強調されている。このため、各傾斜表示片部３０における指標表示部３４により強調された個所の移動する態様が、液体中の気泡により傾きを検知する水準器の気泡の動きと似通うものとなることから、使用者にとって馴染みのあるものとなり、傾斜度合いの認識をより容易なものとすることができる。本実施例では、指標表示部３４は、傾斜表示片部３０の傾斜度合表示部分３２を黄色で表示するとともに、その黄色い傾斜度合表示部分３２を黒い縁取り線で囲うことにより、該当する傾斜度合表示部分３２を強調するものとされており、強調された傾斜度合表示部分３２の認識がより容易なものとされている。
【００５６】
また、この傾斜報知表示Ｉでは、指標表示部３４は、水平状態であることを報知すべく傾斜表示片部３０の中央表示部分３１を強調するとき、図１２に示すように、全ての傾斜度合表示部分３２の上縁部および下縁部をそれぞれＸ方向に架け渡す線分を中央表示部分３１に連続させて、全体に横向きなＨ形状の図柄個所３５を強調する。特に、本実施例では、この図柄個所３５を緑色で表示することで水平状態であることを報知するものとされており、水平状態であることの把握がより容易なものとされている。なお、水平状態であることの報知は、中央表示部分３１を強調するものであればよく、本実施例に限定されるものではない。
【００５７】
さらに、傾斜報知表示Ｉでは、本体ケース１１（取得画像Ｐ）が、各傾斜表示片部３０（各傾斜度合表示部分３２すなわち最も外側の傾斜度合表示部分３２）により設定された角度範囲を超えて傾斜された場合、図１５に示すように、指標表示部３４が最も外側の傾斜度合表示部分３２を強調するとともに、傾斜されている側（上方へと変位された側）の各傾斜度合表示部分３２の上縁部および下縁部を一斉に強調する。この状態が、傾斜過度報知となる。特に、本実施例では、最も外側の傾斜度合表示部分３２と、各傾斜度合表示部分３２の上縁部および下縁部とを赤色で表示することで、傾斜過度状態であることを報知するものとされており、傾斜過度状態であることの把握がより容易なものとされている。なお、傾斜過度状態であることの報知は、水平状態および傾斜度合いを報知していることとの区別ができるものであればよく、本実施例に限定されるものではない。
【００５８】
ついで、傾斜報知表示Ｉでは、本体ケース１１が、ピッチ方向（図１１参照）へと所定の角度を超えて回動（傾斜）された場合、図１７に示すように、指標表示部３４による各傾斜表示片部３０の強調を中断するとともに、全ての各傾斜表示片部３０（中央表示部分３１および各傾斜度合表示部分３２）の上縁部および下縁部を強調する。この状態は、ピッチ方向（図１１参照）への回動（傾斜）があおりと称されることから、あおり過度報知となる。特に、本実施例では、この各傾斜表示片部３０の上縁部および下縁部を赤色で表示することで、あおり過度状態であることを報知するものとされており、あおり過度状態であることの把握がより容易なものとされている。ここで言う所定の角度とは、例えば、ピッチ方向（図１１参照）への回動（傾斜）により傾斜センサ２５が適切にロール方向の傾斜角度を検出することができなくなる虞がある角度であって、適宜設定することができる。このあおり過度報知により、例えば、使用者が、表示部１７の画像表示画面１７ａを見ながら写真撮影を行っている際、極端に上向きであったり下向きであったりすることを注意喚起することができる。なお、あおり過度状態であることの報知は、水平状態、傾斜度合いおよび傾斜過度状態を報知していることとの区別ができるものであればよく、本実施例に限定されるものではない。
【００５９】
この傾斜報知表示Ｉは、本実施例では、横置き画像Ｐｓである場合には、図１２および図１４ないし図１７に示すように、表示部１７の画像表示画面１７ａの下端近傍でＸ方向に延在し、横置き画像Ｐｓである場合には、図１３に示すように、表示部１７の画像表示画面１７ａの左側面１１ｅ側でＸ方向に延在するように設定されている。このため、本体ケース１１の上面１１ｃを下方にして水平面上に載置された状態では、取得画像Ｐにおいて上方でＸ方向に延在することとなり、本体ケース１１の右側面１１ｆを下方にして水平面上に載置された状態では、取得画像Ｐにおいて上方でＸ方向に延在することとなる。なお、このような場合に、傾斜報知表示Ｉが取得画像Ｐにおける下方で延在するように設定してもよい。
【００６０】
この傾斜報知表示Ｉによる報知の態様の推移を、図１８を用いて本体ケース１１のロール方向（図１１参照）への回転姿勢とともに説明する。
【００６１】
横置き画像Ｐｓにおいて、左側面１１ｅ側が上方へ変位するように設定された角度範囲を超えて本体ケース１１が傾斜された場合、左側の各傾斜度合表示部分３２の上縁部および下縁部を赤色で強調して傾斜過度状態を報知する（状態Ｓ１参照）。
【００６２】
横置き画像Ｐｓにおいて、左側面１１ｅ側が上方へ変位するように本体ケース１１が傾斜された場合、左側において傾斜角度に相当する傾斜度合表示部分３２のみを、指標表示部３４が黄色で表示しつつ黒い縁取り線で囲って強調して傾斜度合いを報知する（状態Ｓ２参照）。この状態Ｓ２は、状態Ｓ１と行き来することとなる（矢印Ａ１参照）。
【００６３】
横置き画像Ｐｓにおいて、本体ケース１１の傾斜が水平状態であるものと擬制された中央表示部分３１における角度２ａの範囲である場合、Ｈ形状の図柄個所３５を緑色で強調して水平状態を報知する（状態Ｓ３参照）。この状態Ｓ３は、状態Ｓ２と行き来することとなる（矢印Ａ２参照）。
【００６４】
横置き画像Ｐｓにおいて、右側面１１ｆ側が上方へ変位するように本体ケース１１が傾斜された場合、右側において傾斜角度に相当する傾斜度合表示部分３２のみを、指標表示部３４が黄色で表示しつつ黒い縁取り線で囲って強調して傾斜度合いを報知する（状態Ｓ４参照）。この状態Ｓ４は、状態Ｓ３と行き来することとなる（矢印Ａ３参照）。
【００６５】
横置き画像Ｐｓにおいて、右側面１１ｆ側が上方へ変位するように設定された角度範囲を超えて本体ケース１１が傾斜された場合、右側の各傾斜度合表示部分３２の上縁部および下縁部を赤色で強調して傾斜過度状態を報知する（状態Ｓ５参照）。この状態Ｓ５は、状態Ｓ４と行き来することとなる（矢印Ａ４参照）。また、状態Ｓ５からさらに右側面１１ｆ側が上方へ変位するように傾斜されると、縦置き画像Ｐｖに切り替わることとなる（状態Ｓ６参照）。
【００６６】
縦置き画像Ｐｖにおいて、左側に位置する上面１１ｃ側が上方へ変位するように設定された角度範囲を超えて本体ケース１１が傾斜された場合、左側の各傾斜度合表示部分３２の上縁部および下縁部を赤色で強調して傾斜過度状態を報知する（状態Ｓ６参照）。この状態Ｓ６は、状態Ｓ５と行き来することとなる（矢印Ａ５参照）。
【００６７】
縦置き画像Ｐｖにおいて、左側に位置する上面１１ｃ側が上方へ変位するように本体ケース１１が傾斜された場合、左側において傾斜角度に相当する傾斜度合表示部分３２のみを、指標表示部３４が黄色で表示しつつ黒い縁取り線で囲って強調して傾斜度合いを報知する（状態Ｓ７参照）。この状態Ｓ７は、状態Ｓ６と行き来することとなる（矢印Ａ６参照）。
【００６８】
縦置き画像Ｐｖにおいて、本体ケース１１の傾斜が水平状態であるものと擬制された中央表示部分３１における角度２ａの範囲である場合、Ｈ形状の図柄個所３５を緑色で強調して水平状態を報知する（状態Ｓ８参照）。この状態Ｓ８は、状態Ｓ７と行き来することとなる（矢印Ａ７参照）。
【００６９】
縦置き画像Ｐｖにおいて、右側に位置する底面１１ｄ側が上方へ変位するように本体ケース１１が傾斜された場合、右側において傾斜角度に相当する傾斜度合表示部分３２のみを、指標表示部３４が黄色で表示しつつ黒い縁取り線で囲って強調して傾斜度合いを報知する（状態Ｓ９参照）。この状態Ｓ９は、状態Ｓ８と行き来することとなる（矢印Ａ８参照）。
【００７０】
縦置き画像Ｐｖにおいて、右側に位置する底面１１ｄ側が上方へ変位するように設定された角度範囲を超えて本体ケース１１が傾斜された場合、右側の各傾斜度合表示部分３２の上縁部および下縁部を赤色で強調して傾斜過度状態を報知する（状態Ｓ１０参照）。この状態Ｓ１０は、状態Ｓ９と行き来することとなる（矢印Ａ９参照）。
【００７１】
なお、状態Ｓ１０から状態Ｓ１へと間（矢印Ａ１０参照）には、本体ケース１１をロール方向（図１１参照）に略半回転させる必要があるが、傾斜報知表示Ｉによる報知の態様は、状態Ｓ１から順に状態Ｓ１０へと至るものと同様であることから、詳細な説明は省略する。
【００７２】
本発明に係る撮像装置１０では、傾斜報知表示Ｉにおいて、中央表示部分３１における角度２ａの範囲を水平状態であるものと擬制して水平状態であることを報知するものであることから、本体ケース１１（撮像装置本体）を完全に固定しなくても指標表示部３４により強調される個所が変化することを防止できるので、使用者が煩わしさを覚えることなく、水平状態を容易に把握することができる。このことは、使用者が、撮像装置１０を手で把持して使用する場面では、完全な固定が困難であることから、特に効果的である。
【００７３】
また、撮像装置１０では、傾斜度合いを示す傾斜報知表示Ｉが、本体ケース１１（撮像装置本体）に設定された水平基準に沿って並列された複数の傾斜表示片部３０のうち、傾斜度合いに応じたいずれか一つの傾斜表示片部３０を指標表示部３４で強調するものであることから、この指標表示部３４が液体中の気泡により傾きを検知する水準器の気泡の動きと似通うこととなるので、使用者にとって馴染みのあるものとなり、傾斜度合いの認識をより容易なものとすることができる。
【００７４】
さらに、撮像装置１０では、傾斜度合いを示す各傾斜報知表示Ｉが所定の角度２ａの範囲に設定されていることから、各傾斜報知表示Ｉにおいて指標表示部３４により強調される位置が、取得画像Ｐにおける水平状態の認識に殆ど影響を与えないような本体ケース１１の微小な動きに追従することを防止することができるので、使用者が煩わしさを覚えることなく、水平状態を容易に把握することができる。このことは、使用者が、撮像装置１０を手で把持して使用する場面では、完全な固定が困難であることから、特に効果的である。
【００７５】
撮像装置１０では、所定の角度２ａの範囲に設定されている各傾斜報知表示Ｉが、互いに等しい大きさ寸法とされかつ等しい間隔で並列されていることから、指標表示部３４により強調される位置の移動する様子が、使用者が本体ケース１１を回動させる際にイメージする感覚により近いものとなるので、使用者は、傾きのない画像を容易に取得することができる。
【００７６】
撮像装置１０では、水平状態であることの報知と、傾斜度合いの報知と、傾斜過度状態であることの報知と、あおり過度状態であることの報知とが、それぞれ異なる態様および色彩であることから、それぞれの状態であることの識別が容易であり、使用者が水平状態を容易に把握することができる。
【００７７】
したがって、本発明に係る撮像装置１０では、使用者が煩わしさを覚えることなく、傾きのない画像の取得を容易なものとすることができる。
【００７８】
なお、上記した実施例では、水平状態であることの報知は傾斜報知表示Ｉで行っていたが、この傾斜報知表示Ｉとともに発音部２４から発音させるものであってもよく、上記した実施例に限定されるものではない。
【００７９】
また、上記した実施例では、指標表示部３４による傾斜表示片部３０の強調の例として、異なる色彩とすることとしていたが、いずれの傾斜表示片部３０が本体ケース（撮像装置本体）の傾斜度合いに相当するものであるか識別可能とするものであれば、コントラストや明るさの差異によるものであってもよく、上記した実施例に限定されるものではない。
【００８０】
以上、本発明を実施例に基づき詳述してきたが、この具体的な構成に限らず、本発明の趣旨を逸脱しない程度の設計的変更は、本発明の技術的範囲に含まれる。
【００８１】
この本発明に係る傾斜報知表示Ｉの表示形態を、図１９ないし図２６において線図で示す。この図１９ないし図２６では、撮像装置１０における表示部１７（画像表示画面１７ａ）およびそこに表示された傾斜報知表示Ｉを実線で示し、他の部分については破線で示している。図１９は、横置き画像Ｐｓ（横位置）における水平状態であることの報知を行っている様子を示し、図２０は、横置き画像Ｐｓ（横位置）における傾斜度合いの報知を行っている様子を示し、図２１は、横置き画像Ｐｓ（横位置）における傾斜過度状態であることの報知を行っている様子を示しており、図２２は、横置き画像Ｐｓ（横位置）におけるあおり過度状態であることの報知を行っている様子を示している。また、図２３は、縦置き画像Ｐｖ（縦位置）における水平状態であることの報知を行っている様子を示し、図２４は、縦置き画像Ｐｖ（縦位置）における傾斜度合いの報知を行っている様子を示し、図２５は、縦置き画像Ｐｖ（縦位置）における傾斜過度状態であることの報知を行っている様子を示しており、図２６は、縦置き画像Ｐｖ（縦位置）におけるあおり過度状態であることの報知を行っている様子を示している。
【００８２】
また、以下に、傾斜報知表示の他の例を図２７ないし図４１に示す。この以下に示す傾斜報知表示の例は、いずれも水平面に対して傾きのない画像を取得することを支援するものであり、光軸方向（Ｚ方向（図２等参照参照））回りの本体ケース（撮像装置本体）の傾斜度合いを示すものである。この図２７ないし図４１では、撮像装置における表示部（画像表示画面）およびそこに表示された傾斜報知表示を実線で示し、他の部分については破線で示している。
[変形例１]
図２７および図２８は、変形例１の傾斜報知表示を示しており、図２７が水平状態であることの報知を行っている様子であり、図２８が傾斜度合いの報知を行っている様子である。変形例１の傾斜報知表示は、水平基準方向に沿って延在する直方体形状の図柄の上に、中心を示す黒い円形状の図柄と、この黒い円形状よりも小さな白抜きの円形状の図柄とを有する構成とされている。変形例１の傾斜報知表示では、本体ケース（撮像装置本体）の傾斜度合いに応じて白抜きの円形状の図柄が直方体形状の図柄の上を移動する、すなわち傾斜度合い（傾斜角度）がない場合（水平状態）は黒い円形状の図柄と白抜きの円形状の図柄とが同心状に重なり（図２７参照）、かつ傾斜度合い（傾斜角度）が小さい場合は黒い円形状の図柄の近傍に位置し（図２８参照）、しかも傾斜度合い（傾斜角度）が大きくなるに連れて黒い円形状の図柄から離間するように直方体形状の図柄の上を移動するものである（図２８参照）。図２８では、本体ケース（撮像装置本体）の右側面側が上方へと変位するように当該本体ケースが傾斜された状態を示している。
[変形例２]
図２９および図３０は、変形例２の傾斜報知表示を示しており、図２９が水平状態であることの報知を行っている様子であり、図３０が傾斜度合いの報知を行っている様子である。変形例２の傾斜報知表示は、水平基準方向に沿って延在する水平基準線と、この水平基準線に対する本体ケース（撮像装置本体）の傾斜度合いを示す指針線とを有する。この指針線は、水平基準線の中央位置を中心として回動することで傾斜度合いを示す構成とされている。変形例２の傾斜報知表示では、水平基準線と指針線とが重なっていない場合、両線に挟まれた扇状領域を両線とは差異が視認できる状態で視認可能に表示する。変形例２の傾斜報知表示では、傾斜度合い（傾斜角度）がない場合（水平状態）は水平基準線と指針線とが一致して一本の線となり（図２９参照）、かつ傾斜度合い（傾斜角度）が小さい場合は水平基準線と指針線とのずれ（扇状領域）が小さく（図３０参照）、しかも傾斜度合い（傾斜角度）が大きくなるに連れて水平基準線と指針線とのずれ（扇状領域）が大きくなるように回動するものである（図３０参照）。図３０では、本体ケース（撮像装置本体）の右側面側が上方へと変位するように当該本体ケースが傾斜された状態を示している。
[変形例３]
図３１および図３２は、変形例３の傾斜報知表示を示しており、図３１が水平状態であることの報知を行っている様子であり、図３２が傾斜度合いの報知を行っている様子である。変形例３の傾斜報知表示は、表示部（画像表示画面）の中心に位置された黒い円形状の図柄内に、水平基準方向に沿って延在する水平基準線と、この水平基準線に対する本体ケース（撮像装置本体）の傾斜度合いを示す指針線とを有する。この指針線は、水平基準線の中央位置を中心として回動することで傾斜度合いを示す構成とされている。変形例３の傾斜報知表示では、水平基準線と指針線とが重なっていない場合、両線に挟まれた扇状領域を白色で示し、傾斜度合い（傾斜角度）がない場合（水平状態）、黒い円形状の図柄に白抜きでＨの図柄（水平状態を示すｈｏｒｉｚｏｎｔａｌの頭文字）を示す。変形例３の傾斜報知表示では、傾斜度合い（傾斜角度）がない場合（水平状態）は黒い円形状の図柄に白抜きでＨの図柄を示し（図３１参照）、かつ傾斜度合い（傾斜角度）が小さい場合は水平基準線と指針線とのずれ（扇状領域）が小さく（図３２参照）、しかも傾斜度合い（傾斜角度）が大きくなるに連れて水平基準線と指針線とのずれ（扇状領域）が大きくなるように回動するものである（図３２参照）。図３２では、本体ケース（撮像装置本体）の右側面側が上方へと変位するように当該本体ケースが傾斜された状態を示している。この変形例３の傾斜報知表示では、表示部（画像表示画面）の中心に位置された黒い円形状の図柄内で傾斜度合いを示すものであることから、横置き画像（横位置）の場合と縦置き画像（縦位置）の場合とで、表示する位置が切り替わることがないので、使用者が覚え得る違和感を抑制することができる。
[変形例４]
図３３および図３４は、変形例４の傾斜報知表示を示しており、図３３が水平状態であることの報知を行っている様子であり、図３４が傾斜度合いの報知を行っている様子である。変形例４の傾斜報知表示は、正方形の枠部に二本の垂直な縦線が付加された基準枠線と、本体ケース（撮像装置本体）の傾斜度合いを示す指針線とを有する。この指針線は、基準枠線内を両側の縦線を横方向に架け渡す二本の直線であり、基準枠線の重心を中心として回動することで傾斜度合いを示す構成とされている。変形例４の傾斜報知表示では、傾斜度合い（傾斜角度）がない場合（水平状態）は指針線が基準枠線の縦線と直交し（図３３参照）、かつ傾斜度合い（傾斜角度）がある場合は傾斜度合い（傾斜角度）が大きくなるに連れて基準枠線の縦線との傾斜角度が小さくなるように指針線が回動するものである（図３４参照）。図３４では、本体ケース（撮像装置本体）の右側面側が上方へと変位するように当該本体ケースが傾斜された状態を示している。
[変形例５]
図３５および図３６は、変形例５の傾斜報知表示を示しており、図３５が水平状態であることの報知を行っている様子であり、図３６が傾斜度合いの報知を行っている様子である。変形例５の傾斜報知表示は、水平基準方向に沿って延在する直方体形状の図柄の上に、中心位置を示す二本の白抜きの縦線と、白抜きの円形状の図柄とを有する構成とされている。この変形例５の傾斜報知表示では、本体ケース（撮像装置本体）の傾斜度合いに応じて白抜きの円形状の図柄が直方体形状の図柄の上を移動する、すなわち傾斜度合い（傾斜角度）がない場合（水平状態）は二本の縦線で挟まれた領域に円形状の図柄が位置し（図３５参照）、かつ傾斜度合い（傾斜角度）が小さい場合は円形状の図柄が二本の縦線の近傍に位置し（図３６参照）、しかも傾斜度合い（傾斜角度）が大きくなるに連れて円形状の図柄が二本の縦線から離間するように直方体形状の図柄の上を移動するものである（図３６参照）。変形例５の傾斜報知表示では、傾斜度合い（傾斜角度）がない場合（水平状態）、二本の縦線およびその間に位置される円形状の図柄が黒色の表示に切り替えられる（図３５参照）。図３６では、本体ケース（撮像装置本体）の右側面側が上方へと変位するように当該本体ケースが傾斜された状態を示している。
[変形例６]
図３７および図３８は、変形例６の傾斜報知表示を示しており、図３７が水平状態であることの報知を行っている様子であり、図３８が傾斜度合いの報知を行っている様子である。変形例６の傾斜報知表示は、変形例５の円形状の図柄が長方形状に変わったことを除くと、変形例５と同様の構成である。
[変形例７]
図３９ないし図４１は、変形例７の傾斜報知表示を示しており、図３９が水平状態であることの報知を行っている様子であり、図４０が傾斜度合いの報知を行っている様子であり、図４１が傾斜過度状態であることの報知を行っている様子である。変形例７の傾斜報知表示は、水平基準方向に沿って等間隔に並列された縦長の棒状部の図柄と、その中央に位置する棒状部を取り囲む枠部とを有し、各棒状部のうち本体ケース（撮像装置本体）の傾斜度合いに相当するいずれか一つの棒状部を強調することで、本体ケース（撮像装置本体）の傾斜度合いを示すものである。ここでいう強調とは、いずれの棒状部が本体ケース（撮像装置本体）の傾斜度合いに相当するものであるか、識別可能とするものであればよい。変形例７の傾斜報知表示では、傾斜度合い（傾斜角度）がない場合（水平状態）は枠部で取り囲まれた中央の棒状部が強調され（図３９参照）、かつ傾斜度合い（傾斜角度）が小さい場合は枠部の近傍の棒状部が強調され（図４０参照）、しかも傾斜度合い（傾斜角度）が大きくなるに連れて枠部から離間するように強調される棒状部の位置が移動し（図４０参照）、最も外側の棒状部に相当する角度を超えて本体ケース（撮像装置本体）が傾斜される（傾斜過度状態）と最も外側の棒状部を強調するものである（図４１参照）。この変形例７の傾斜報知表示では、例えば、水平状態（図３９参照）の際は緑色で中央の棒状部が強調し、傾斜度合いを報知する際（図４０参照）は黄色で該当する棒状部が強調し、傾斜過度状態（図４１参照）の際は赤色で最も外側の棒状部を強調するように、異なる彩色で棒状部を強調すると、より識別することを容易なものとすることができる。
【００８３】
なお、上記した変形例１ないし変形例６においても、水平状態を認識することをより容易なものとすべく、水平状態であることの報知を行う場合と、傾斜度合いの報知を行う場合とで、異なる彩色で表示するものとしてもよい。
【００８４】
また、上記した変形例１ないし変形例７の傾斜報知表示は、表示部（画像表示画面）に表示される取得画像を透かして見えるような表示形態とすることが望ましい。
【符号の説明】
【００８５】
１０  撮像装置
１１  （撮像装置本体としての）本体ケース
１４  （撮像手段としての）鏡胴ユニット
１７ａ  画像表示画面
２０  （撮像手段としての）システムコントローラ
２１  （撮像手段としての）Ａ／Ｄ変換部
２２  （撮像手段としての）画像処理部
２５  （傾斜検知手段としての）傾斜センサ
Ｉ  傾斜報知表示
３０  傾斜表示片部
３１  中央表示部分
３２  傾斜度合表示部分
３３  照準指示部
３４  指標表示部
【先行技術文献】
【特許文献】
【００８６】
【特許文献１】特開２００４−３４３４７６号公報
【特許文献２】特許第３８９６５０５号公報
【特許文献３】特開２００６−１６５９４１号公報
【図１】
2010114941.tif 000003
【図２】
2010114941.tif 000004
【図３】
2010114941.tif 000005
【図４】
2010114941.tif 000006
【図５】
2010114941.tif 000007
【図６】
2010114941.tif 000008
【図７】
2010114941.tif 000009
【図８】
2010114941.tif 000010
【図９】
2010114941.tif 000011
【図１０】
2010114941.tif 000012
【図１１】
2010114941.tif 000013
【図１２】
2010114941.tif 000014
【図１３】
2010114941.tif 000015
【図１４】
2010114941.tif 000016
【図１５】
2010114941.tif 000017
【図１６】
2010114941.tif 000018
【図１７】
2010114941.tif 000019
【図１８】
2010114941.tif 000020
【図１９】
2010114941.tif 000021
【図２０】
2010114941.tif 000022
【図２１】
2010114941.tif 000023
【図２２】
2010114941.tif 000024
【図２３】
2010114941.tif 000025
【図２４】
2010114941.tif 000026
【図２５】
2010114941.tif 000027
【図２６】
2010114941.tif 000028
【図２７】
2010114941.tif 000029
【図２８】
2010114941.tif 000030
【図２９】
2010114941.tif 000031
【図３０】
2010114941.tif 000032
【図３１】
2010114941.tif 000033
【図３２】
2010114941.tif 000034
【図３３】
2010114941.tif 000035
【図３４】
2010114941.tif 000036
【図３５】
2010114941.tif 000037
【図３６】
2010114941.tif 000038
【図３７】
2010114941.tif 000039
【図３８】
2010114941.tif 000040
【図３９】
2010114941.tif 000041
【図４０】
2010114941.tif 000042
【図４１】
2010114941.tif 000043
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
撮像手段と、該撮像手段が取得した画像が表示される画像表示画面と、撮像装置の傾斜を検知する傾斜検知手段とを備え、該傾斜検知手段の検出結果に基づいた傾斜報知表示を前記撮像手段が取得した画像と重ねて前記画像表示画面に表示する撮像装置であって、
前記傾斜報知表示は、所定の基準方向に沿って並列された複数の傾斜表示片部を含み、
前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする撮像装置。
【請求項２】
前記傾斜報知表示は、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行い、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調することを特徴とする請求項１に記載の撮像装置。
【請求項３】
前記傾斜報知表示は、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行うことを特徴とする請求項１または請求項２に記載の撮像装置。
【請求項４】
前記傾斜報知表示は、複数の前記傾斜表示片部のうち中央に位置する一つであることを指し示す照準指示部を有することを特徴とする請求項１ないし請求項３のいずれか１項に記載の撮像装置。
【請求項５】
前記傾斜報知表示では、前記水平状態報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる色彩で強調することを特徴とする請求項１ないし請求項４のいずれか１項に記載の撮像装置。
【請求項６】
前記傾斜報知表示では、前記水平状態報知を行うときと、前記傾斜過度報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる彩色で強調することを特徴とする請求項２ないし請求項５のいずれか１項に記載の撮像装置。
【請求項７】
前記取得画像は、長方形状を呈し、
前記基準方向は、前記取得画像が横位置の場合と縦位置の場合とで個別に設定されていることを特徴とする請求項１ないし請求項６のいずれか１項に記載の撮像装置。
【請求項８】
前記画像表示画面では、重力方向の下側に位置する辺部の近傍に前記傾斜報知表示が表示されることを特徴とする請求項７に記載の撮像装置。
【請求項９】
前記傾斜報知表示は、少なくとも一部が透かし表示とされていることを特徴とする請求項１ないし請求項８のいずれか１項に記載の撮像装置。
【請求項１０】
請求項１ないし請求項９のいずれか１項に記載の撮像装置であって、
さらに、撮影指示のための操作部を備え、該操作部への撮影指示に応じて撮影を行うことを特徴とする撮像装置。
【請求項１１】
撮像手段と、該撮像手段が取得した画像が表示される画像表示画面と、撮像装置の傾斜を検知する傾斜検知手段とを備える撮像装置の制御部に、前記傾斜検知手段の検出結果に基づいた傾斜報知表示を前記撮像手段が取得した画像と重ねて前記画像表示画面に表示する機能を実現させるためのプログラムであって、
前記傾斜検知手段からの出力信号に基づいて、傾斜を判断する機能と、
所定の基準方向に沿って並列された複数の傾斜表示片部を、前記傾斜報知表示として前記画像表示画面に表示する機能と、
前記傾斜報知表示において、前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行う機能と、
前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、
を実現させることを特徴とするプログラム。
【請求項１２】
前記傾斜報知表示において、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う機能と、
前記傾斜報知表示において、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する機能と、
を実現させることを特徴とする請求項１１に記載のプログラム。
【請求項１３】
前記傾斜報知表示において、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う機能を実現させることを特徴とする請求項１１または請求項１２に記載のプログラム。
【請求項１４】
前記傾斜報知表示を前記画像表示画面に表示させつつ、前記撮像装置が備える操作部への撮影指示に応じて前記撮像手段による撮影を行わせる機能を実現させることを特徴とする請求項１１ないし請求項１３のいずれか１項に記載のプログラム。
【請求項１５】
撮像手段と、該撮像手段が取得した画像が表示される画像表示画面と、撮像装置の傾斜を検知する傾斜検知手段と、該傾斜検知手段の検出結果に基づいた傾斜報知表示を前記撮像手段が取得した画像と重ねて前記画像表示画面に表示する表示制御手段と、を備える撮像装置の角度表示方法であって、
前記表示制御手段は、前記傾斜報知表示として、所定の基準方向に沿って並列された複数の傾斜表示片部を、前記画像表示画面に表示し、
前記傾斜検知手段からの出力信号に基づいて、前記撮像装置の傾斜を判断する工程と、
前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行う工程と、
前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、
を含むことを特徴とする角度表示方法。
【請求項１６】
前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う工程と、
前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する工程と、
を含むことを特徴とする請求項１５に記載の角度表示方法。
【請求項１７】
前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う工程を含むことを特徴とする請求項１５または請求項１６に記載の角度表示方法。
【請求項１８】
前記撮像装置が備える操作部への撮影指示に応じて撮影を行う際にも、前記傾斜報知表示の前記画像表示画面への表示を行うことを特徴とする請求項１５ないし請求項１７のいずれか１項に記載の角度表示方法。
【手続補正２】
【補正対象書類名】明細書
【補正対象項目名】００１０
【補正方法】変更
【補正の内容】
【００１０】
上記課題を解決するため、請求項１に係る発明は、撮像手段と、該撮像手段が取得した画像が表示される画像表示画面と、撮像装置の傾斜を検知する傾斜検知手段とを備え、該傾斜検知手段の検出結果に基づいた傾斜報知表示を前記撮像手段が取得した画像と重ねて前記画像表示画面に表示する撮像装置であって、前記傾斜報知表示は、所定の基準方向に沿って並列された複数の傾斜表示片部を含み、前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行い、かつ前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調することを特徴とする。
【手続補正３】
【補正対象書類名】明細書
【補正対象項目名】００１１
【補正方法】変更
【補正の内容】
【００１１】
請求項２に係る発明は、請求項１に記載の撮像装置であって、前記傾斜報知表示は、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行い、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調することを特徴とする。
請求項３に係る発明は、請求項１または請求項２に記載の撮像装置であって、前記傾斜報知表示は、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行うことを特徴とする。
【手続補正４】
【補正対象書類名】明細書
【補正対象項目名】００１２
【補正方法】変更
【補正の内容】
【００１２】
請求項４に係る発明は、請求項１ないし請求項３のいずれか１項に記載の撮像装置であって、前記傾斜報知表示は、複数の前記傾斜表示片部のうち中央に位置する一つであることを指し示す照準指示部を有することを特徴とする。
【手続補正５】
【補正対象書類名】明細書
【補正対象項目名】００１３
【補正方法】変更
【補正の内容】
【００１３】
請求項５に係る発明は、請求項１ないし請求項４のいずれか１項に記載の撮像装置であって、前記傾斜報知表示では、前記水平状態報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる色彩で強調することを特徴とする。
【手続補正６】
【補正対象書類名】明細書
【補正対象項目名】００１４
【補正方法】変更
【補正の内容】
【００１４】
請求項６に係る発明は、請求項２ないし請求項５のいずれか１項に記載の撮像装置であって、前記傾斜報知表示では、前記水平状態報知を行うときと、前記傾斜過度報知を行うときと、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調するときとで、互いに異なる彩色で強調することを特徴とする。
【手続補正７】
【補正対象書類名】明細書
【補正対象項目名】００１５
【補正方法】変更
【補正の内容】
【００１５】
請求項７に係る発明は、請求項１ないし請求項６のいずれか１項に記載の撮像装置であって、前記取得画像は、長方形状を呈し、前記基準方向は、前記取得画像が横位置の場合と縦位置の場合とで個別に設定されていることを特徴とする。
【手続補正８】
【補正対象書類名】明細書
【補正対象項目名】００１６
【補正方法】変更
【補正の内容】
【００１６】
請求項８に係る発明は、請求項７に記載の撮像装置であって、前記画像表示画面では、重力方向の下側に位置する辺部の近傍に前記傾斜報知表示が表示されることを特徴とする。
【手続補正９】
【補正対象書類名】明細書
【補正対象項目名】００１７
【補正方法】変更
【補正の内容】
【００１７】
請求項９に係る発明は、請求項１ないし請求項８のいずれか１項に記載の撮像装置であって、前記傾斜報知表示は、少なくとも一部が透かし表示とされていることを特徴とする。
【手続補正１０】
【補正対象書類名】明細書
【補正対象項目名】００１８
【補正方法】変更
【補正の内容】
【００１８】
請求項１０に係る発明は、請求項１ないし請求項９のいずれか１項に記載の撮像装置であって、さらに、撮影指示のための操作部を備え、該操作部への撮影指示に応じて撮影を行うことを特徴とする。
【手続補正１１】
【補正対象書類名】明細書
【補正対象項目名】００１９
【補正方法】変更
【補正の内容】
【００１９】
請求項１１に係る発明は、撮像手段と、該撮像手段が取得した画像が表示される画像表示画面と、撮像装置の傾斜を検知する傾斜検知手段とを備える撮像装置の制御部に、前記傾斜検知手段の検出結果に基づいた傾斜報知表示を前記撮像手段が取得した画像と重ねて前記画像表示画面に表示する機能を実現させるためのプログラムであって、前記傾斜検知手段からの出力信号に基づいて、傾斜を判断する機能と、所定の基準方向に沿って並列された複数の傾斜表示片部を、前記傾斜報知表示として前記画像表示画面に表示する機能と、前記傾斜報知表示において、前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行う機能と、前記傾斜報知表示において、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する機能と、を実現させることを特徴とする。
【手続補正１２】
【補正対象書類名】明細書
【補正対象項目名】００２０
【補正方法】変更
【補正の内容】
【００２０】
請求項１２に係る発明は、請求項１１に記載のプログラムであって、前記傾斜報知表示において、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う機能と、前記傾斜報知表示において、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する機能と、を実現させることを特徴とする。
請求項１３に係る発明は、請求項１１または請求項１２に記載のプログラムであって、前記傾斜報知表示において、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う機能を実現させることを特徴とする。
【手続補正１３】
【補正対象書類名】明細書
【補正対象項目名】００２１
【補正方法】変更
【補正の内容】
【００２１】
請求項１４に係る発明は、請求項１１ないし請求項１３のいずれか１項に記載のプログラムであって、前記傾斜報知表示を前記画像表示画面に表示させつつ、前記撮像装置が備える操作部への撮影指示に応じて前記撮像手段による撮影を行わせる機能を実現させることを特徴とする。
【手続補正１４】
【補正対象書類名】明細書
【補正対象項目名】００２２
【補正方法】変更
【補正の内容】
【００２２】
請求項１５に係る発明は、撮像手段と、該撮像手段が取得した画像が表示される画像表示画面と、撮像装置の傾斜を検知する傾斜検知手段と、該傾斜検知手段の検出結果に基づいた傾斜報知表示を前記撮像手段が取得した画像と重ねて前記画像表示画面に表示する表示制御手段と、を備える撮像装置の角度表示方法であって、前記表示制御手段は、前記傾斜報知表示として、所定の基準方向に沿って並列された複数の傾斜表示片部を、前記画像表示画面に表示し、前記傾斜検知手段からの出力信号に基づいて、前記撮像装置の傾斜を判断する工程と、前記傾斜検知手段が検知した傾斜が所定角度範囲内である場合に、複数の前記傾斜表示片部の上縁部に配置される上縁線と複数の前記傾斜表示片部の下縁部に配置される下縁線と複数の前記傾斜表示片部のうち中央に位置する一つとを用いて全体に横向きなＨ形状の図柄として強調することで水平状態報知を行う工程と、前記傾斜検知手段が検知した傾斜が前記所定角度範囲よりも大きい場合に、前記傾斜検知手段が検知した傾斜の大きさに応じて複数の前記傾斜表示片部のうちのいずれか一つを強調する工程と、を含むことを特徴とする
【手続補正１５】
【補正対象書類名】明細書
【補正対象項目名】００２３
【補正方法】変更
【補正の内容】
【００２３】
請求項１６に係る発明は、請求項１５に記載の角度表示方法であって、前記撮像装置が複数の前記傾斜表示片部における最外側に相当する傾斜の度合いよりも大きく傾斜している場合に、最外側の複数の前記傾斜表示片部の一つを強調するとともに傾斜された側の複数の前記傾斜表示片部の上縁部および複数の前記傾斜表示片部の下縁部を一斉に強調して傾斜過度報知を行う工程と、前記撮像装置が複数の前記傾斜表示片部における最外側に相当する傾斜の度合い以下の傾斜となると再び前記傾斜検知手段が検知した傾斜の大きさに応じて複数の前記傾斜表示片部のうちのいずれか一つを強調する工程と、を含むことを特徴とする。
請求項１７に係る発明は、請求項１５または請求項１６に記載の角度表示方法であって、前記撮像装置が前記基準方向に直交する平面内で見て所定の角度を超えて傾斜している場合に、複数の前記傾斜表示片の上縁部および複数の前記傾斜表示片の下縁部を一斉に強調してあおり過度報知を行う工程を含むことを特徴とする。
【手続補正１６】
【補正対象書類名】明細書
【補正対象項目名】００２４
【補正方法】変更
【補正の内容】
【００２４】
請求項１８に係る発明は、請求項１５ないし請求項１７のいずれか１項に記載の角度表示方法であって、前記撮像装置が備える操作部への撮影指示に応じて撮影を行う際にも、前記傾斜報知表示の前記画像表示画面への表示を行うことを特徴とする。
【手続補正１７】
【補正対象書類名】明細書
【補正対象項目名】００２５
【補正方法】変更
【補正の内容】
【００２５】
本発明に係る撮像装置では、傾斜報知表示において、撮像装置が所定角度範囲内で傾斜したときに、複数の傾斜表示片部の上縁部に配置される上縁線と複数の傾斜表示片部の下縁部に配置される下縁線と複数の傾斜表示片部のうち中央に位置する一つとを用いて全体に横向きなＨ形状の図柄として強調することで水平状態報知が為されるものであることから、撮像装置を完全に固定しなくても強調される個所が変化することを防止できるので、使用者が煩わしさを覚えることなく、水平状態を容易に把握することができる。
【手続補正１８】
【補正対象書類名】明細書
【補正対象項目名】００２６
【補正方法】変更
【補正の内容】
【００２６】
また、この撮像装置では、傾斜検知手段の検出結果に基づいた傾斜報知表示が、所定の基準方向に沿って並列された複数の傾斜表示片のうち、傾斜の大きさに応じて上方へと変位された側のいずれか一つの傾斜表示片を強調するものとすると、この強調される個所が液体中の気泡により傾きを検知する水準器の気泡の動きと似通うこととなるので、使用者にとって馴染みのあるものとなり、傾斜度合いの認識をより容易なものとすることができる。